(57)【要約】【課題】蓋体を備えた貯蔵容器を開蓋状態或いは閉蓋状態であっても収納することができるようにし、また開蓋状態で転倒しにくくする。【解決手段】載置部４から天面本体６に注ぎ口10を含む天面11の最低位11Ｌまでの第一の全高Ａより、開蓋状態の上部開口17から底部３までの飲料貯蔵容器２の第二の全高Ｂが低く、載置部４から天面11の最高位11Ｈまでの第三の全高Ｃより、閉蓋状態の蓋体19の最高位から底部３までの貯蔵容器２の第四の全高が低く、第一の全高Ａより閉蓋状態の蓋体19の最低位から底部３までの貯蔵容器２の第五の全高が低く形成されている。また、上部開口17の最高位17Ｈと底部３の部位３Ａを結ぶ距離Ｆを、第一の全高Ａより長く形成する。開蓋時のみならず、閉蓋時に貯蔵容器２を載置部４上に収納することができる。また、貯蔵容器２が転倒しようとしても、最高位17Ｈが最低位11Ｌに当たって転倒を防ぐことができる。【選択図】図６
2011244954.tif 000002
【特許請求の範囲】
【請求項１】
上部に飲料入り口用の上部開口を設けた飲料貯蔵容器の底部を着脱自在に載置する載置部の上方に前記上部開口に対して下向きに臨む天面本体を設けると共に、該天面本体に前記飲料の注ぎ口が設けられた飲料供給装置において、
前記飲料貯蔵容器の上部開口を開閉可能に覆う蓋体を設けると共に、開蓋状態において該蓋体には最高位と最低位が設けられ、
前記載置部から前記天面本体に前記注ぎ口を含む天面の最低位までの全高を第一の全高としたとき、前記上部開口の最高位と、前記飲料貯蔵容器の上下方向の軸心を中心として前記上部開口の最高位とその反対側に設けられる前記底部の部位を結ぶ距離を、この第一の全高より長く形成したことを特徴とする飲料供給装置。
【請求項２】
前記上部開口の前記最高位と前記閉蓋状態の前記蓋体の最高位は、前記軸心に対向して同じ方向に配置され、開蓋状態の前記上部開口の前記最高位から前記底部までの前記飲料貯蔵容器の全高は前記第一の全高より低く、また閉蓋状態の前記蓋体の最低位から前記底部までの前記飲料貯蔵容器の全高も前記第一の全高より低く、一方閉蓋状態の前記蓋体の前記最高位から前記底部までの前記飲料貯蔵容器の全高は前記第一の全高より高く形成されていることを特徴とする請求項１記載の飲料供給装置。
【請求項３】
前記載置部に前記底部の部位が係止可能な段差を設けたことを特徴とする請求項１又は２記載の飲料供給装置。
【発明の詳細な説明】
【技術分野】
【０００１】
本発明は、コーヒーや茶などの飲料供給装置に関するものである。
【背景技術】
【０００２】
従来、この種のものとして、コーヒーを溜めるガラス容器を載置する載置部の後端に垂直部を立設し、垂直部の上部に上部を前方に延設してガラス容器の上部開口に対向する天面本体を形成したコ字状の外観形状を有する機体と、機体の垂直部に設けた貯水部と、機体の上部に設けたコーヒー抽出部と、貯水部から供給される水を加熱する加熱体と、加熱された湯をコーヒー抽出部へ供給する給湯パイプと、コーヒー抽出部の下部に配置しガラス容器の上部開口に対向して天面本体で開口するコーヒー液の注ぎ口を有し、そして、機体の垂直部に突出部を設け、この突出部の曲率を載置部上にあるガラス容器の肩部曲率に合わせて両者を密着させることで、ガラス容器の転倒防止を行うものが知られている。
【０００３】
また、機体、ガラス容器にマグネット、磁性金属を設け、マグネットの吸引力によりガラス容器の転倒防止を行うものも知られている。
【０００４】
さらに、飲料の貯蔵容器として飲料用の縦長円筒状の断熱容器本体と、この容器本体に被着される肩部材と、肩部材に設けられた上部口部と、肩部材に回動自在に蓋ヒンジ部により軸支され上部口部を開閉する蓋体と、肩部材の蓋ヒンジ部の１８０度反対側に回動自在にロック回動軸により軸支されて、前記蓋を水平方向の一方位置で開蓋すると共に他方で閉蓋して保持するロック部材を有する飲料容器が知られている。
【先行技術文献】
【特許文献】
【０００５】
【特許文献１】特開平５−１１５３８０号公報
【特許文献２】特開２００４−２１５７６４号公報
【特許文献３】特開２０１０−２３８５４号公報
【発明の概要】
【発明が解決しようとする課題】
【０００６】
コーヒー貯蔵容器として、従来のガラスサーバーやステンレスポットのような重心の低い容器ではなく、重心の高い円筒状の貯蔵容器を使用した場合、コーヒー貯蔵容器が転倒する恐れがある。また、不用意にコーヒー貯蔵器に当たった場合にもコーヒー貯蔵容器が転倒する恐れがある。
【０００７】
前記機体の垂直部に突出部を設け、突出部の曲率をガラス容器の肩部曲率に合わせて密着させる構造は、ガラス容器の肩部に曲線がない容器の場合には転倒防止できない。
【０００８】
また、前記マグネット式転倒防止手段の場合は、マグネットの磁力を一定に管理することが困難であり、さらにマグネットと磁性金属を機体、ガラス容器に装着する必要があり、部品点数の増加、コストアップ、構造の複雑化につながる。
【０００９】
さらに、従来技術の貯蔵容器のような蓋体を開閉自在なものにおいては、転倒防止を図るために載置部の上方に設けられる天面に、開蓋時貯蔵容器の上部口部を接近させる必要があり、このようにすると蓋体を閉めた状態で貯蔵容器を載置部と天面との間に収納することができなくなる。
【００１０】
解決しようとする問題点は、載置部とその上方に設けられ注ぎ口を備えた天面との間に、貯蔵容器を載置部に載置して該貯蔵容器に飲料を供給する飲料供給装置において、載置部と天面との間に開蓋状態で収納された貯蔵容器が転倒しにくくする点である。また、蓋体を備えた貯蔵容器を開蓋状態或いは閉蓋状態であっても収納することができるようにする点である。
【課題を解決するための手段】
【００１１】
請求項１の発明は、上部に飲料入り口用の上部開口を設けた飲料貯蔵容器の底部を着脱自在に載置する載置部の上方に前記上部開口に対して下向きに臨む天面本体を設けると共に、該天面本体に前記飲料の注ぎ口が設けられた飲料供給装置において、
前記飲料貯蔵容器の上部開口を開閉可能に覆う蓋体を設けると共に、開蓋状態において該蓋体には最高位と最低位が設けられ、
前記載置部から前記天面本体に前記注ぎ口を含む天面の最低位までの全高を第一の全高としたとき、前記上部開口の最高位と、前記飲料貯蔵容器の上下方向の軸心を中心として前記上部開口の最高位とその反対側に設けられる前記底部の部位を結ぶ距離を、この第一の全高より長く形成したことを特徴とする飲料供給装置である。
【００１２】
請求項２の発明は、前記上部開口の前記最高位と前記閉蓋状態の前記蓋体の最高位は、前記軸心に対向して同じ方向に配置され、開蓋状態の前記上部開口の前記最高位から前記底部までの前記飲料貯蔵容器の全高は前記第一の全高より低く、また閉蓋状態の前記蓋体の最低位から前記底部までの前記飲料貯蔵容器の全高も前記第一の全高より低く、一方閉蓋状態の前記蓋体の前記最高位から前記底部までの前記飲料貯蔵容器の全高は前記第一の全高より高く形成されていることを特徴とする請求項１記載の飲料供給装置である。
【００１３】
請求項３の発明は、前記載置部に前記底部の部位が係止可能な段差を設けたことを特徴とする請求項１又は２記載の飲料供給装置である。
【発明の効果】
【００１４】
請求項１の発明によれば、開蓋状態の貯蔵容器が収納されているとき、貯蔵容器が倒れようとしても、上部口部が天面の最低位に係止されて転倒を阻止できるようになる。
【００１５】
請求項２の発明によれば、開蓋状態の貯蔵容器を載置部に載置して飲料を注ぎ口から供給でき、さらに閉蓋状態の貯蔵容器も収納することができる。
【００１６】
請求項３の発明によれば、貯蔵容器が倒れようとするとき、段差を中心として貯蔵容器を回動して上部口部を天面の最低位に確実に係止して転倒を阻止できる。
【図面の簡単な説明】
【００１７】
【図１】本発明の実施例１を示す全体斜視図である。
【図２】同装置本体の斜視図である。
【図３】同装置本体の一部切り欠き側面図である。
【図４】同貯蔵容器が直立して収納された閉蓋状態での全体側面図である。
【図５】同貯蔵容器が直立して収納不能な閉蓋状態での全体側面図である。
【図６】同貯蔵容器が直立した開蓋状態での全体側面図である。
【図７】同貯蔵容器が傾斜した開蓋状態での全体側面図である。
【図８】同開蓋状態の貯蔵容器の斜視図である。
【図９】同閉蓋状態の貯蔵容器の側面図である。
【図１０】同開蓋状態の貯蔵容器の側面図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図は一実施例を示しており、図１乃至図３に示すように、コーヒーの飲料供給装置は、コーヒー液を抽出する飲料供給装置本体１と、抽出されたコーヒーを収納するための本体１の専用の貯蔵容器２とを備える。本体１は、貯蔵容器２の底部３を載置する載置部４の後端に垂直部５を立設し、垂直部５の上部に前方に延設して貯蔵容器２の上部にほぼ水平な天面本体６を対向して形成したコ字状の外観形状を有する機体７と、機体７の内部に設けた貯水部（図示せず）と、機体７の上部に設けたコーヒー抽出部８と、貯水部から供給される水を加熱する加熱体（図示せず）と、加熱された湯をコーヒー抽出部８へ供給するパイプなどの給湯路９と、コーヒー抽出部８の下部に連通し貯蔵容器２の上部に対向して天面本体６で開口するコーヒー液の注ぎ口10を下向きに有している。さらに、注ぎ口10は天面本体６よりも多少下方に突出しており、このため天面本体６に注ぎ口10を含めた天面11において、載置部４を基準として天面本体６は天面11の最も高くなる位置である最高位11Ｈとなり、注ぎ口10は天面11の最も低くなる位置である最低位11Ｌとなる。そして、貯蔵容器２の上下方向の軸心12が注ぎ口10の中心またはその近傍に配置されることで、貯蔵容器２が載置部４上に正位置となって載置できるようになっている。さらに、載置部４と天面本体６間の前方及び左右両側は開口しており、この開口部13を通して貯蔵容器２を出し入れできるようになっている。また、載置部４には軸心12と同心円状の浅底な凹状段差14が形成されており、この段差14の外径は貯蔵容器２の底部３の外径とほぼ同じであり、段差14内に平面円形な底部３が係止できるようになっている。
【００２０】
図８乃至１０に示すように、貯蔵容器２は、底部３を平坦に形成した縦長円筒状の断熱容器本体15と、この容器本体15の上部に被着される蓋取り付け用部材を兼用する肩部材16と、肩部材16の上部に設けられコーヒー液の入り口であり、また飲み口或いは注ぎ口となる上部口部17と、肩部材16に回動自在に蓋ヒンジ部18により軸支され上部口部17を開閉する蓋体19と、肩部材16の蓋ヒンジ部18の水平方向に１８０度反対側に回動自在に回動軸20により軸支されて、蓋体19は水平方向の一方位置で開蓋すると共に、水平方向の他方で閉蓋するようになっており、容器本体15は、外筒15Ａの内側に真空断熱層（図示せず）を介して内筒（図示せず）を有する二重断熱構造に形成されている。蓋体19の内側には上部口部17によって形成されるコーヒー液の通路17Ｆを閉塞可能なゴム等弾性部材からなりコーヒー液の通路17Ｆを封止するパッキン19Ｐが設けられている。また、容器本体15に回動軸20を介してロック部材21を回動自在に設け、この第一のロック部材21が閉蓋状態にある蓋体19に設けられた第一のロック受け部21Ａに掛け止めできるようになっている。さらに、容器本体15に回動軸20を介して第一のロック部材21の外側を回動するようにＵ字形状の第二のロック部材22を自在に設ける。この第二のロック部材22は、ロック部材22が閉蓋状態にある蓋体19に設けられた第一のロック受け部21Ａの上部にある第二のロック受け部22Ａに掛け止めできるようになっている。
【００２１】
さらに、上部口部17は蓋ヒンジ部18側である一方に底部３を基準とした最低位17Ｌが形成されると共に、蓋ヒンジ部18と反対側である他方に底部３を基準とした最高位17Ｈが形成されて傾斜している。また、閉蓋状態において蓋体19の上面において、底部３を基準とした蓋ヒンジ部18側である一方に最低部19Ｌが形成されると共に、蓋ヒンジ部18と反対側である他方に最高位19Ｈが形成されて傾斜している。これにより、上部開口17の最高位17Ｈと閉蓋状態の蓋体19の最高位19Ｈは、軸心12に対向して同じ方向、すなわち蓋ヒンジ部18と反対方向に配置されている。
【００２２】
そして、載置部４から天面本体６に注ぎ口10を含む天面11の最低位11Ｌ（注ぎ口10）までの第一の全高Ａより、開蓋状態の上部口部17の最高位17Ｈから底部３までの貯蔵容器２の第二の全高Ｂが低く（Ａ＞Ｂ）、載置部４から天面11の最高位11Ｈ（天面本体６）までの第三の全高Ｃより、閉蓋状態の蓋体19の最高位19Ｈから底部３までの貯蔵容器２の第四の全高Ｄが低く（Ｃ＞Ｄ）、かつ、第一の全高Ａより閉蓋状態の蓋体19の最低位19Ｌから底部３までの貯蔵容器２の第五の全高Ｅが低く（Ａ＞Ｅ）形成されている。さらに、上部口部17の最高位17Ｈと、飲料貯蔵容器２の上下方向の軸心12を中心として上部口部17の最高位17Ｈとその反対側に設けられる底部３の前側の部位３Ａを結ぶ仮想線23の距離Ｆを、第一の全高Ａより長く（Ｆ＞Ａ）形成している。また、第一の全高Ａより第四の全高Ｄは高く形成されている（Ａ＜Ｄ）。尚、開蓋状態の上部口部17の最低位17Ｌから貯蔵容器底部３までを貯蔵容器２の第六の全高Ｇとしたとき、実施例では不等号記号を使うと、Ｇ＜Ｅ≦Ｂ＜Ａ＜Ｄ＜Ｃ、かつＡ＜Ｆに形成されている。尚、Ｇ＜Ｂ＜Ｅ＜Ａ＜Ｄ＜Ｃ、かつＡ＜Ｆに形成されている場合でもよい。
【００２３】
次に前記構成についてその作用を説明する。図６に示すように開蓋状態の貯蔵容器２を、開口部13を通して載置部４側に挿入し、そして上部口部17の最高位17Ｈを奥側として上部口部17が注ぎ口10に対向するように貯蔵容器２を載置部４に予め縦置きする。そして、コーヒー抽出部８にコーヒー粉を収容すると共に、貯水部に貯水した状態で加熱体が発熱すると熱湯がコーヒー抽出部８に供給されて抽出されたコーヒー液は注ぎ口10より、上部口部17に落下し、この落下したコーヒー液は貯蔵容器２に保温収納される。このようにコーヒー液を収納した後、貯蔵容器２を引き出して閉蓋し、第一のロック部材21、第二のロック部材22を第一のロック受け部21Ａ、第二のロック受け部22Ａに係止して蓋体19をロック状態として携帯し、第一のロック部材21、第二のロック部材22を第一のロック受け部21Ａ、第二のロック受け部22Ａにより脱し適時開蓋してコーヒーを上部口部17より注ぎ出して飲むことができる。
【００２４】
図４に示すように、貯蔵容器２を使用しないときには、閉蓋状態で貯蔵容器２を開口部13を通して載置部４側に挿入し、そして貯蔵容器２を載置部４に縦置きして保管状態とする。
【００２５】
尚、図５に示すように、閉蓋状態で飲み口或いは注ぎ口となる上部開口17の最高位17Ｈを奥側に配置して、ひいては蓋体19の最高位19Ｈを奥側にして開口部13に挿入しようとしても、第四の全高Ｄは第一の全高Ａより大きく形成されているので、蓋体19が閉まった状態では開口部13から載置部４上に収納できないため、誤って蓋体19を閉めたままコーヒー液を注ぎ口10から注出する誤動作を防止できる。
【００２６】
そして、図７に示すように、開蓋状態の貯蔵容器２が載置部４に正位置で縦置きされた状態にあるとき、振動などによって貯蔵容器２を倒す方向の外力が加わっても、底部３の部位３Ａが段差14に係止して上部口部17が外側に倒れそうになっても、仮想直線23の距離Ｆが第一の全高Ａより長く形成されているので、上部口部17の最高位17Ｈが注ぎ口10を含む天面本体６に係止することで、上部口部17の最高位17Ｈが天面本体６下方を通り抜けることなく、貯蔵容器２の転倒を阻止することができる。
【００２７】
以上のように、本体1は貯蔵容器２の載置部４、天面最高位11Ｈ、天面最低位11Ｌを有し、また貯蔵容器２は蓋体19を備え、この蓋体19は貯蔵容器２に肩部材16を介して開動自在に設けられ、コーヒー抽出器の注ぎ口10の下方に開蓋状態で装着した際、上部口部17の最高位17Ｈと天面最低位11Ｌを接近させ貯蔵容器２の底部３の前部位３Ａを中心とし、開蓋状態の最高位17Ｈまでを半径（距離Ｆ）とする円弧を天面最低位11Ｌと交差させることで、貯蔵容器２が前部位３Ａを中心として倒れたとき、上部口部17の最高位17Ｈと天面最低位11Ｌが当接し、貯蔵容器２の転倒防止をすることができる。
【００２８】
また、閉蓋状態で蓋体19に最高位19Ｈ、最低位19Ｌと、開蓋状態で上部口部17に最高位17Ｈを有し、開蓋状態で上部口部17の最高位17Ｈが天面最低位11Ｌより低く、天面最高位11Ｈよりも閉蓋状態での蓋体19の最高位19Ｈは低く、かつ天面最低位11Ｌよりも閉蓋状態の蓋体19の最低位19Ｌが低いことにより、開蓋時のみならず、閉蓋時に貯蔵容器２を載置部４上に収納することができる。また、寸法の設定の改善により、部品点数が減少し、コスト削減及び構造の簡略化につながることができる。
【００２９】
しかも、上部開口17の最高位17Ｈと閉蓋状態の蓋体19の最高位19Ｈは、軸心12に対向して同じ方向、蓋ヒンジ部18と反対側に配置されていることで、通常使用時の飲み口或いは注ぎ口となる上部口部17を奥にしたときは、蓋体19が閉まった状態で、載置部４上に収納できないため、誤って蓋体19を閉めたままコーヒー液を注ぎ口10より排出するような誤使用を防止できる。
【００３０】
さらに、載置部４に段差14を設け、貯蔵容器２を載置した際に貯蔵容器２が段部に落とし込まれ貯蔵容器２の底部３が当接し、貯蔵容器２が転倒する動きをしたときに前記前側の部位３Ａ箇所が支点となって、確実に貯蔵容器２の転倒を阻止することができる。
【産業上の利用可能性】
【００３１】
以上のように本発明に係る飲料供給装置は、茶など各種の用途に適用できる。
【符号の説明】
【００３２】
２  貯蔵容器
３  底部
３Ａ  部位
４  載置部
６  天面本体
10  注ぎ口
11  天面
11Ｌ  最低位
12  軸心
14  段差
17  上部口部
19  蓋体
19Ｌ  最低位
19Ｈ  最高位
Ａ  第一の全高
Ｂ  第二の全高
Ｃ  第三の全高
Ｄ  第四の全高
Ｅ  第五の全高
Ｆ  距離
【図１】
2011244954.tif 000003
【図２】
2011244954.tif 000004
【図３】
2011244954.tif 000005
【図４】
2011244954.tif 000006
【図５】
2011244954.tif 000007
【図６】
2011244954.tif 000008
【図７】
2011244954.tif 000009
【図８】
2011244954.tif 000010
【図９】
2011244954.tif 000011
【図１０】
2011244954.tif 000012